(57)【要約】【課題】酸素工場のように冷却配管設備が内装され、断熱材を充填すべきプラント内部から断熱材を除去したり、断熱材を充填したりする作業性を向上する。【解決手段】プラントの外面に面した柱１、２に支持構造５を取付け、それに二本の桁６を掛け渡すと共に、柱１、２にも桁９を掛け渡し、二本の桁６の間と桁９の上を通して、マンホール３、４からプラント内部に梁１１を差し込む。断熱材Ｄを除去したり、断熱材Ｄを充填したりする作業は、この梁１１に作業者が吊り下がって行う。また、最上方の梁１１には断熱材落下防止板１２を掛け渡し、上方の断熱材Ｄが下方に落下するのを防止する。【選択図】　　　図４
2004044149.tif 000002
【特許請求の範囲】
【請求項１】
低温配管設備を備えたプラントの内部に充填された断熱材を除去する方法であって、プラントの外部に架構を取付け、その架構からプラント内部に梁を差し込み、その梁を用いてプラント内の断熱材を除去することを特徴とするプラント内断熱材除去方法。
【請求項２】
前記梁の上に、断熱材の落下を防止する板材を敷くことを特徴とする請求項１に記載のプラント内断熱材除去方法。
【請求項３】
低温配管設備を備えたプラントの内部に断熱材を充填する方法であって、プラントの外部に架構を取付け、その架構からプラント内部に梁を差し込み、その梁を用いてプラント内に断熱材を充填することを特徴とするプラント内断熱材充填方法。
【請求項４】
前記梁の上に、断熱材の落下を防止する板材を敷くことを特徴とする請求項３に記載のプラント内断熱材除去方法。
【発明の詳細な説明】
【０００１】
【発明の属する技術分野】
本発明は、例えば酸素工場のように、内部に低温配管設備を備えたプラント内に断熱材を充填したり、その充填された断熱材を除去したりする方法に関するものである。
【０００２】
【従来の技術】
酸素工場は、酸素を液体の状態に維持するために、内部に複雑な低温配管設備を備えており、その周囲には、プラント全体に亘って岩綿などの断熱材が充填されている。一方、酸素工場は、一定期間毎に、法的に定められた検査を受けなければならないが、検査の有無に係わらず、酸素工場内の低温配管設備の保守点検を行うためには、プラント内部に充填されている断熱材を除去しなければならない。そのため従来は、図５に示すように、プラントＰに幾つか設けられているマンホールＭのうち、凡そ下方のマンホールＭから作業者がプラントＰ内に入り、下方から順に断熱材Ｄを外部に除去し、除去した部分に足場Ａを組み、合わせて断熱材Ｄの落下防止処理を施し、更に断熱材Ｄを外部に除去し、これを繰り返して、所定の高さの低温配管設備を保守点検する。なお、保守点検が終了したら、断熱材を充填しなければならないが、この場合は、前述の断熱材の除去方法の全く逆の手順で断熱材を充填してゆく。
【０００３】
【発明が解決しようとする課題】
しかしながら、前記従来のプラント内断熱材除去方法では、所定の高さまで、下から上に断熱材を除去しながら足場を組んでゆかなければならない面倒があると共に、断熱材の落下防止処理も、組んだ足場の上に簡易に施されるだけであるため、十分なものであるとは言えない。また、前記従来のプラント内断熱材充填方法では、逆に、上から下に断熱材を充填しながら足場を除去しなければならないという面倒がある。また、この場合も、断熱材落下防止処理は十分なものであるとは言えない。
【０００４】
本発明は前記諸問題を解決すべく開発されたものであり、プラント内に足場を組む面倒がなく、十分な断熱材落下防止処理を施すことができるプラント内断熱材除去方法を提供することを目的とするものである。
【０００５】
【課題を解決するための手段】
上記諸問題を解決するため、本発明のうち請求項１に係るプラント内断熱材除去方法は、低温配管設備を備えたプラントの内部に充填された断熱材を除去する方法であって、プラントの外部に架構を取付け、その架構からプラント内部に梁を差し込み、その梁を用いてプラント内の断熱材を除去することを特徴とするものである。なお、前記梁の用い方には、梁の上に乗ったり、梁に吊り下がったりすることなどが挙げられる。
【０００６】
また、本発明のうち請求項２に係るプラント内断熱材除去方法は、前記請求項１の発明において、前記梁の上に、断熱材の落下を防止する板材を敷くことを特徴とするものである。
また、本発明のうち請求項３に係るプラント内断熱材充填方法は、低温配管設備を備えたプラントの内部に断熱材を充填する方法であって、プラントの外部に架構を取付け、その架構からプラント内部に梁を差し込み、その梁を用いてプラント内に断熱材を充填することを特徴とするものである。なお、前記梁の用い方には、梁の上に乗ったり、梁に吊り下がったりすることなどが挙げられる。
【０００７】
また、本発明のうち請求項４に係るプラント内断熱材充填方法は、前記請求項３の発明において、前記梁の上に、断熱材の落下を防止する板材を敷くことを特徴とするものである。
【０００８】
【発明の実施の形態】
以下、本発明の実施の形態について説明する。図１〜図３は、本実施形態のプラント内断熱材除去又は充填作業中の構成図である。これらの図中の符号１は、酸素工場プラントの最前面の鉄柱であり、図１中の符号２は、当該酸素工場プラントの左側面の鉄柱である。また、図１中の符号３は、酸素工場プラントの最前面に設けられたマンホール（人孔）、図２中の符号４は、当該酸素工場プラントの左側面に設けられたマンホールである。この実施形態では、酸素工場プラントを外部から観察し、図に斜線を施した部分の保守点検を行う。なお、この酸素工場プラント内には、複雑で密集した冷却配管設備が存在しているが、それらは図示を省略している。また、プラント内には、冷却配管設備を断熱するために、岩綿などの断熱材が充填されているが、それも図示を省略している。
【０００９】
そこで、本実施形態では、前記酸素工場プラントの躯体の外側に架構７を構築し、そこから前記マンホール３、４を通して躯体奥方に梁１１を差し込み、その梁１１に吊り下がって、前記岩綿などの断熱材を躯体内から除去したり、或いはそれらを躯体内に充填したりする。梁１１の具体的な支持構造は、躯体側の前方支持桁９と、躯体から離れた位置に配設された後方支持桁６との上に梁１１を載置するようにしている。
【００１０】
例えば前記酸素工場プラントの最前面に構築された架構７は、当該プラント最前面の二本の鉄柱１に沿ってブリッジ状の支持構造５を取付け、それらの支持構造５に前記二本の後方支持桁６を掛け渡して構成されている。この支持構造５の取付方法は、例えば図１の左方の支持構造５については前記最前面の鉄柱１の正面にボルト１００で取付け、右方の支持構造５については前記最前面の鉄柱１の左側面にボルト１０１で取付けている。また、前記後方支持桁６は、前記最前面のマンホール３の高さで、梁１１の高さ分の間隔をあけて二本並列に前記支持構造５に掛け渡し、それをリブ形取付部材８で当該支持構造５に取付けている。また、酸素工場プラントの最前面の各マンホール３に相当する位置の前記最前面の柱１には、前方支持桁９を掛け渡し、同様のリブ形取付部材１０で当該柱１に直接取付けている。
【００１１】
一方、前記酸素工場プラントの左側面に構築された架構７は、当該プラント左側面の柱２の前記マンホール４の位置にトラス状の支持構造５を取付け、それに一本の後方支持桁６を掛け渡して構成されている。また、前記と同様に、当該酸素工場プラントの左側面の柱２には、前方支持桁９を掛け渡し、当該柱２に直接取付けている。
【００１２】
そして、前記酸素工場プラントの最前面に関しては、前述した各架構７ごとに、前記二本の後方支持桁６の間と、前記一本の前方支持桁９の上を通して、各マンホール３からプラント内部に梁１１を差し込んでいる。また、前記酸素工場プラントの左側面に関しては、前記一本の後方支持桁６の上と、一本の前方支持桁９の上を通して、マンホール４からプラント内部に梁１１を差し込んでいる。また、前記酸素工場プラントの最前面から差し込まれた最上方の二本の梁１１の上には、岩綿などの断熱材が下方に落下するのを防止する断熱材落下防止板１２を敷き渡している。ちなみに、前述した梁１１は、プラント内部に断熱材が充填されている場合には冷却配管設備が見えないので、それらに梁１１が当たらないように差し込まれている。
【００１３】
この酸素工場プラントでは、図４に示すように、前述のように当該プラント内部に差し込まれた梁１１に作業者が吊り下がって、岩綿などの断熱材Ｄを除去したり、或いはプラント内に断熱材Ｄを充填したりする。つまり、岩綿などの断熱材Ｄがプラント内に充填されている場合には、内部の冷却配管設備に当たらないように少しずつ断熱材Ｄを除去しながら梁１１を差し込み、梁１１が差し込まれたら、作業者がその梁１１に吊り下がって断熱材Ｄを手前から除去する。このとき前記最上方の梁１１に断熱材落下防止板１２を敷き渡してあるので、上方の断熱材Ｄが下方に落下することはない。また、必要な部位又はその近傍の断熱材Ｄを効率よく除去してゆくことができるので、作業性に優れる。
【００１４】
また、この酸素工場プラント内に岩綿などの断熱材Ｄを充填する場合にも、前記梁１１に吊り下がって、プラント内部の奥方から順に、下から上に断熱材Ｄを充填することができるので、作業性に優れる。また、この場合にも、前記最上方の梁１１に断熱材落下防止板１２を敷き渡すことにより、上方の断熱材Ｄの落下を確実に防止することができる。
【００１５】
なお、この断熱材除去方法や断熱材充填方法は、酸素工場プラントに限定されるものではなく、内部に冷却配管設備が設けられ、且つ断熱材が充填されている或いは断熱材を充填しなければならないプラントなどに広く適用可能である。
【００１６】
【発明の効果】
以上説明したように、本発明のうち請求項１に係るプラント内断熱材除去方法によれば、低温配管設備を備えたプラントの内部に充填された断熱材を除去するにあたり、プラントの外部に架構を取付け、その架構からプラント内部に梁を差し込み、その梁を用いてプラント内の断熱材を除去することにより、所望の高さの断熱材を効率よく除去することができ、作業性に優れる。
【００１７】
また、本発明のうち請求項２に係るプラント内断熱材除去方法によれば、プラント内に差し込んだ梁の上に、断熱材の落下を防止する板材を敷くことにより、確実な断熱材落下処理を施すことができる。
また、本発明のうち請求項３に係るプラント内断熱材充填方法によれば、低温配管設備を備えたプラントの内部に断熱材を充填するにあたり、プラントの外部に架構を取付け、その架構からプラント内部に梁を差し込み、その梁を用いてプラント内に断熱材を充填することにより、下方から順に断熱材を充填することができ、作業性に優れる。
【００１８】
また、本発明のうち請求項４に係るプラント内断熱材充填方法によれば、プラント内に差し込んだ梁の上に、断熱材の落下を防止する板材を敷くことにより、確実な断熱材落下処理を施すことができる。
【図面の簡単な説明】
【図１】本発明のプラント内断熱材除去方法及びプラント内断熱材充填方法の一実施形態を示す酸素工場プラントの正面図である。
【図２】図１の酸素工場プラントの左側面図である。
【図３】図１の酸素工場プラントのＸ−Ｘ断面図である。
【図４】図１〜図３の酸素工場プラントのプラント内断熱材除去方法及びプラント内断熱材充填方法の作用説明図であり、（ａ）は左側面図、（ｂ）は正面図である。
【図５】従来の酸素工場プラントのプラント内断熱材除去方法及びプラント内断熱材充填方法の作用説明図であり、（ａ）は左側面図、（ｂ）は正面図である。
【符号の説明】
１、２は柱
３、４はマンホール
５は支持構造
６は後方支持桁
７は架構
８は取付部材
９は前方支持桁
１０は取付部材
１１は梁
１２は断熱材落下防止板
Ｄは断熱材
【図１】
2004044149.tif 000003
【図２】
2004044149.tif 000004
【図３】
2004044149.tif 000005
【図４】
2004044149.tif 000006
【図５】
2004044149.tif 000007